(57)【特許請求の範囲】
【請求項１】
少なくとも、記録媒体上でのＣＩＥＬＡＢ色空間において定義される色相角∠Ｈ゜が約８０〜約１１０゜の範囲であるイエローインク、該色相角∠Ｈ゜が約３３０〜約３６０゜の範囲であるマゼンタインク及び該色相角∠Ｈ゜が約２３０〜約２６０゜の範囲であるシアンインクの３色のインクと、下記インク（Ａ）及び下記インク（Ｂ）と、反応剤を含有する反応液とを備え、
インク（Ａ）；前記色相角∠Ｈ゜が約０〜約８０゜の範囲であるインク
インク（Ｂ）；前記色相角∠Ｈ゜が約２６０〜約３３０゜の範囲であるインク
〔前記色相角（∠Ｈ゜）は、∠Ｈ゜＝ｔａｎ-1（ｂ*／ａ*）＋１８０（ａ*＜０の場合）、又は∠Ｈ゜＝ｔａｎ-1（ｂ*／ａ*）＋３６０（ａ*＞０の場合）により求められる。ａ*及びｂ*は、ＣＩＥＬＡＢ色空間において定義される知覚色度指数を表す。〕
前記インク（Ａ）及び前記インク（Ｂ）に含有される色材が顔料であり、
前記インク（Ａ）に含有される前記顔料が、Ｃ．Ｉ．ピグメントオレンジ６２並びにＣ．Ｉ．ピグメントレッド４９：２，１１２，１４９，１７７，１７８，１８８，２５５及び２６４からなる群から選ばれる１種又は２種以上であり、
前記前記インク（Ｂ）に含有される前記顔料が、Ｃ．Ｉ．ピグメントブルー６０並びにＣ．Ｉ．ピグメントバイオレット１９，２３，３２，３６及び３８からなる群から選ばれる１種又は２種以上であり、
前記シアンインクに含有される色材が顔料であり、該シアンインクに含有される前記顔料が、Ｃ．Ｉ．ピグメントブルー１，２，３，１５：３，１５：４，１５：３４，１６，２２，６０並びにＣ．Ｉ．バットブルー４及び６０からなる群から選ばれる１種又は２種以上であるインクセット。
【請求項２】
前記インク（Ａ）及び前記インク（Ｂ）それぞれの明度が、前記マゼンタインク及び前記シアンインクそれぞれの明度よりも低く、かつ、前記インク（Ａ）及び前記インク（Ｂ）それぞれの彩度が、前記マゼンタインク及び前記シアンインクそれぞれの彩度よりも高い、請求項１に記載のインクセット。
【請求項３】
前記イエローインクは４００ｎｍ〜５００ｎｍに吸収面積が３０abs・nm以上、３５０abs・nm以下である吸収スペクトルを有し、前記マゼンタインクは５００ｎｍ〜６００ｎｍに吸収面積が２０abs・nm以上、２００abs・nm以下である吸収スペクトルを有し、前記シアンインクは６００ｎｍ〜７００ｎｍに吸収面積が５０abs・nm以上、４００abs・nm以下である吸収スペクトルを有し、
前記インク（Ａ）は、その５００ｎｍ〜６００ｎｍにおける吸収面積が、前記マゼンタインクの５００ｎｍ〜６００ｎｍにおける吸収面積と同等以上であり、
前記インク（Ｂ）は、その５００ｎｍ〜６００ｎｍにおける吸収面積が、前記シアンインクの６００ｎｍ〜７００ｎｍにおける吸収面積と同等以上である、請求項１記載のインクセット。
【請求項４】
前記インク（Ａ）の５００ｎｍ〜６００ｎｍにおける吸収面積が、前記マゼンタインクの５００ｎｍ〜６００ｎｍにおける吸収面積の１．０倍以上、３．５倍以下である請求項３に記載のインクセット。
【請求項５】
前記インク（Ｂ）の５００ｎｍ〜６００ｎｍにおける吸収面積が、前記シアンインクの６００ｎｍ〜７００ｎｍにおける吸収面積の１．０倍以上、３．０倍以下である請求項３又は４に記載のインクセット。
【請求項６】
前記イエローインクは４００ｎｍ〜５００ｎｍに吸収面積が３０abs・nm以上、３５０abs・nm以下である吸収スペクトルを有し、前記マゼンタインクは５００ｎｍ〜６００ｎｍに吸収面積が２０abs・nm以上、２００abs・nm以下である吸収スペクトルを有し、前記シアンインクが６００ｎｍ〜７００ｎｍに吸収面積が５０abs・nm以上、４００abs・nm以下である吸収スペクトルを有し、
前記インク（Ａ）は、その４００ｎｍ〜５００ｎｍにおける吸収面積が、当該インク（Ａ）の５００ｎｍ〜６００ｎｍにおける吸収面積の０．５倍以上、２．０倍以下であり、
前記インク（Ｂ）は、その５００ｎｍ〜６００ｎｍにおける吸収面積が、当該インク（Ｂ）の６００ｎｍ〜７００ｎｍにおける吸収面積の０．５倍以上、５．０倍以下である、請求項１記載のインクセット。
【請求項７】
前記イエローインクの記録媒体上での光学濃度（ＯＤ値）が１．７〜２．４である請求項１〜６の何れかに記載のインクセット。
【請求項８】
前記マゼンタインクの記録媒体上での光学濃度（ＯＤ値）が１．０〜２．６である請求項１〜７の何れかに記載のインクセット。
【請求項９】
前記シアンインクの記録媒体上での光学濃度（ＯＤ値）が２．０〜２．７である請求項１〜８の何れかに記載のインクセット。
【請求項１０】
前記インク（Ａ）は、前記イエローインクのＩY重量と前記マゼンタインクのＪ1M重量とを記録媒体上で混合して得られる色相角∠Ｈ゜(Y+M)の彩度Ｃ*(Y+M)を、（ＩY+Ｊ1M）重量未満の使用量で得られるインクである請求項１〜９の何れかに記載のインクセット。
〔前記彩度Ｃ*は、Ｃ*＝｛（ａ*）2+(ｂ*)2｝1/2により求められる。〕
【請求項１１】
前記インク（Ｂ）は、前記マゼンタインクのＪ2M重量と前記シアンインクのＫc重量とを記録媒体上で混合して得られる色相角∠Ｈ゜(M+C)の彩度Ｃ*(M+C)を、（Ｊ2M+ＫC）重量未満の使用量で得られるインクである請求項１〜１０の何れかに記載のインクセット。
【請求項１２】
前記インク（Ａ）の彩度Ｃ*Aが、前記イエローインクの彩度Ｃ*Y及び／又は前記マゼンタインクの彩度Ｃ*Mよりも高い請求項１〜１１の何れかに記載のインクセット。
【請求項１３】
前記インク（Ｂ）の彩度Ｃ*Bが、前記マゼンタインクの彩度Ｃ*M及び／又は前記シアンインクの彩度Ｃ*Cよりも高い請求項１〜１２の何れかに記載のインクセット。
【請求項１４】
前記インク（Ａ）の記録媒体上での彩度Ｃ*Aが、８０以上である請求項１〜１３の何れかに記載のインクセット。
【請求項１５】
前記インク（Ｂ）の記録媒体上での彩度Ｃ*Bが、８０以上である請求項１〜１４の何れかに記載のインクセット。
【請求項１６】
前記インク（Ａ）の記録媒体上での色相範囲が、a*＝約６０〜約８０、ｂ*＝約２０〜約８０の範囲、又はa*＝約３０〜約６０、ｂ*＝約６０〜約１００の範囲である請求項１〜１５の何れかに記載のインクセット。
【請求項１７】
前記インク（Ｂ）の記録媒体上での色相範囲が、a*＝約５０〜約７０、ｂ*＝約−７０〜約−５０の範囲、又はa*＝約４０〜約６０、ｂ*＝約−８０〜約−６０の範囲である請求項１〜１６の何れかに記載のインクセット。
【請求項１８】
前記イエローインクの記録媒体上での色相範囲がａ*＝約−３０〜約２０、ｂ*＝約７０〜約１３０の範囲であり、前記マゼンタインクの該色相範囲がａ*＝約６０〜約９０、ｂ*＝約−４０〜約−１０の範囲であり、前記シアンインクの該色相範囲がａ*＝約−５０〜約−２０、ｂ*＝約−７０〜約−４０の範囲である請求項１〜１７の何れかに記載のインクセット。
【請求項１９】
前記各インクに含有される色材が顔料である請求項１〜１８の何れかに記載のインクセット。
【請求項２０】
前記イエローインクに含有される前記顔料が、Ｃ．Ｉ．ピグメントイエロー１，２，３，１２，１３，１４，１６，１７，７３，７４，７５，８３，９３，９５，９７，９８，１０９，１１０，１１４，１２８，１２９，１３８，１３９，１４７，１５０，１５１，１５４，１５５，１８０及び１８５からなる群から選ばれる１種又は２種以上である請求項１９記載のインクセット。
【請求項２１】
前記マゼンタインクに含有される前記顔料が、Ｃ．Ｉ．ピグメントレッド５，７，１２，４８（Ｃａ）,４８（Ｍｎ）５７（Ｃａ）,５７：１，１１２，１２２，１２３，１６８，１８４，２０２及び２０９並びにＣ．Ｉ．ピグメントバイオレット１９からなる群から選ばれる１種又は２種以上である請求項１９又は２０に記載のインクセット。
【請求項２２】
前記イエローインク、前記マゼンタインク及び前記シアンインクそれぞれにおける前記顔料の含有量が０．１重量％以上２重量％以下であり、前記インク（Ａ）及び前記インク（Ｂ）それぞれにおける前記顔料の含有量が２重量％以上６重量％以下である請求項１９〜２１の何れかに記載のインクセット。
【請求項２３】
前記マゼンタインクと前記シアンインクそれぞれの前記顔料の含有量が２重量％以下であり、かつ、前記インク（Ａ）と前記インク（Ｂ）と前記イエローインクそれぞれの前記顔料の含有量が２重量％以上である、請求項１９〜２２の何れかに記載のインクセット。
【請求項２４】
前記イエローインク、前記マゼンタインク、前記シアンインク、前記インク（Ａ）、及び前記インク（Ｂ）それぞれの前記顔料の含有量が２重量％以上である、請求項１９〜２３の何れかに記載のインクセット。
【請求項２５】
前記反応剤が、多価金属塩、ポリアリルアミン及びその誘導体、ポリアクリルアミド及びその誘導体、ポリエチレンイミンからなる群から選ばれる１種又は２種以上である請求項１〜２４の何れかに記載インクセット。
【請求項２６】
更に、ブラックインクを備える請求項１〜２５の何れかに記載のインクセット。
【請求項２７】
請求項１〜２６の何れかに記載のインクセットを用いて、記録媒体に文字及び／又は画像を形成するインクジェット記録方法。
【請求項２８】
請求項１〜２６の何れかに記載のインクセットを用いて、記録媒体に文字及び／又は画像を形成するインクジェット記録方法であって、前記インクと前記反応液とが前記記録媒体上で接触するようにそれぞれの液滴を吐出させ、且つ複数色の前記インクの液滴それぞれを前記記録媒体上で混合して、該記録媒体上に１色又は２色以上の混色部分を形成する場合、前記インク（Ａ）及び前記インク（Ｂ）以外のインクの少なくとも１種と、該インク（Ａ）及び／又は該インク（Ｂ）とを用いるインクジェット記録方法。
【請求項２９】
前記反応液の液滴を吐出させた後、前記インクの液滴を吐出させて前記記録媒体上に文字及び／又は画像を形成する請求項２７又は２８記載のインクジェット記録方法。
【請求項３０】
前記インクの液滴を吐出させて前記記録媒体上に文字及び／又は画像を形成した後、前記反応液の液滴を吐出させる請求項２８又は２９記載のインクジェット記録方法。
【請求項３１】
前記記録媒体が普通紙である請求項２８〜３０の何れかに記載のインクジェット記録方法。
【発明の詳細な説明】
【０００１】
【発明の属する技術分野】
本発明は、少なくとも、イエロー、マゼンタ及びシアンの３色のインクと、これら３色以外の特色インクと、反応剤を含有する反応液とを備えたインクセットに関し、特に顔料インクセット及びこれを用いたインクジェット記録方法に関する。
【０００２】
【従来の技術】
顔料インクは、一般に、染料インクに比して印刷物の画像堅牢性に優れており、サインやディスプレイ市場向けのワイドフォーマットのカラーインクジェット記録用インク等、その特性を活かした種々の用途において使用されている。このカラーインクジェット記録においては、通常、減法混色の３原色であるイエロー（Ｙ）、マゼンタ（Ｍ）及びシアン（Ｃ）の３色の水性顔料インクを備えた３色インクセット、あるいはこれにブラック（Ｋ）を加えた４色インクセットを用いて種々の色相を表現することが行われている。また、これら３色又は４色インクセットよりも色再現範囲の広いインクセットとして、ＹＭＣＫインクに加えて、オレンジやグリーン等の色の水性インクを備えたインクセットも提案されている。
【０００３】
また、このような従来のインクセットを用いたインクジェット記録方法の改良に関して、インクを凝集させる作用を有する反応剤を含有した反応液を用いたインクジェット記録方法、いわゆる二液（インクと反応液）を用いたインクジェット記録方法が知られている（例えば、特開平９−２８６９４０号公報、特開平１０−１２０９５６号公報及びＷＯ９９／０５２３０号公報等参照）。この二液を用いたインクジェット記録方法によれば、該反応液とインクとが記録媒体上で接触することにより、該反応剤が、顔料等のインク成分の分散状態を破壊し、該インク成分を凝集させて該記録媒体上に凝集物を形成するので、色濃度が高く、滲みやムラの少ない高品位の印刷物を得ることができる。この二液を用いたインクジェット記録方法は、従来のインクジェット記録方法では不十分であった、普通紙に対する十分な発色性を実現できるので、記録媒体として普通紙を用いた場合に特に有効である。
【０００４】
【発明が解決しようとする課題】
従来の二液を用いたインクジェット記録方法は、水性インクに加えて更に水性の前記反応液を打ち込むため、該反応液を備えていない通常のインクセットを用いたインクジェット記録方法に比して、記録媒体への単位面積当たりの水性液の打ち込み量が多い。一方、記録媒体として用いられる普通紙は、多量の水分が接触すると、その接触部分におけるセルロース繊維間の水素結合が破壊され、該接触部分が伸長して紙シワ等の変形を起こす性質を有する。そのため、前記の二液を用いたインクジェット記録方法は、記録媒体として普通紙を用いた場合、該普通紙が紙シワ等の変形を起こすという問題があった。紙シワは、特にインクの打ち込み量が多くなる２次色以上の印刷部分（混色部分）で悪化し、印刷物の画質を著しく低下させる。紙シワの問題は、インクや反応液の打ち込み量を減らすことで解決することができるが、打ち込み量を減らすと発色性が低下してしまう。
【０００５】
従って、本発明の目的は、記録媒体として普通紙を用いても、紙シワ等の変形を生じさせることなく、色濃度が高く、滲みやムラの少ない高品位の印刷物の提供が可能なインクセット及び該インクセットを用いたインクジェット記録方法を提供することにある。
【０００６】
【課題を解決するための手段】
本発明者らは、ＹＭＣの３色の顔料インクと、反応剤を含有する反応液とを備えるインクセットを用いた、いわゆる二液を用いたインクジェット記録方法について種々検討した結果、これらに加えて更に特色インクとして、記録媒体上でのＣＩＥＬＡＢ色空間において定義される色相角∠Ｈ゜が特定の範囲にある顔料インクを２種備えた顔料インクセットを用い、２次色以上の混色部分を形成する場合は、該特色インクを使用することにより、普通紙に対して紙シワを生じさせるような多量のインクを打ち込むことなく、高発色の文字及び／又は画像を形成できることを知見した。
【０００７】
本発明は、前記知見に基づきなされたもので、下記のインクセット（１）を提供することにより前記目的を達成したものである。
（１）少なくとも、記録媒体上でのＣＩＥＬＡＢ色空間において定義される色相角∠Ｈ゜が約８０〜約１１０゜の範囲であるイエローインク、該色相角∠Ｈ゜が約３３０〜約３６０゜の範囲であるマゼンタインク及び該色相角∠Ｈ゜が約２３０〜約２６０゜の範囲であるシアンインクの３色のインクと、下記インク（Ａ）及び下記インク（Ｂ）と、反応剤を含有する反応液とを備え、
インク（Ａ）；前記色相角∠Ｈ゜が約０〜約８０゜の範囲であるインク
インク（Ｂ）；前記色相角∠Ｈ゜が約２６０〜約３３０゜の範囲であるインク
〔前記色相角（∠Ｈ゜）は、∠Ｈ゜＝ｔａｎ-1（ｂ*／ａ*）＋１８０（ａ*＜０の場合）、又は∠Ｈ゜＝ｔａｎ-1（ｂ*／ａ*）＋３６０（ａ*＞０の場合）により求められる。ａ*及びｂ*は、ＣＩＥＬＡＢ色空間において定義される知覚色度指数を表す。〕
前記インク（Ａ）及び前記インク（Ｂ）に含有される色材が顔料であり、
前記インク（Ａ）に含有される前記顔料が、Ｃ．Ｉ．ピグメントオレンジ６２並びにＣ．Ｉ．ピグメントレッド４９：２，１１２，１４９，１７７，１７８，１８８，２５５及び２６４からなる群から選ばれる１種又は２種以上であり、
前記前記インク（Ｂ）に含有される前記顔料が、Ｃ．Ｉ．ピグメントブルー６０並びにＣ．Ｉ．ピグメントバイオレット１９，２３，３２，３６及び３８からなる群から選ばれる１種又は２種以上であり、
前記シアンインクに含有される色材が顔料であり、該シアンインクに含有される前記顔料が、Ｃ．Ｉ．ピグメントブルー１，２，３，１５：３，１５：４，１５：３４，１６，２２，６０並びにＣ．Ｉ．バットブルー４及び６０からなる群から選ばれる１種又は２種以上であるインクセット。
尚、本発明において、記録媒体上でのＣＩＥＬＡＢ色空間というときの「記録媒体」としては、ＰＭ写真紙（セイコーエプソン（株）製）のような光沢性記録媒体が使用される。
【０００８】
また、本発明は、前記イエローインクは４００ｎｍ〜５００ｎｍに吸収面積が３０abs・nm以上、３５０abs・nm以下である吸収スペクトルを有し、前記マゼンタインクは５００ｎｍ〜６００ｎｍに吸収面積が２０abs・nm以上、２００abs・nm以下である吸収スペクトルを有し、前記シアンインクは６００ｎｍ〜７００ｎｍに吸収面積が５０abs・nm以上、４００abs・nm以下である吸収スペクトルを有し、
前記インク（Ａ）は、その５００ｎｍ〜６００ｎｍにおける吸収面積が、前記マゼンタインクの５００ｎｍ〜６００ｎｍにおける吸収面積と同等以上であり、
前記インク（Ｂ）は、その５００ｎｍ〜６００ｎｍにおける吸収面積が、前記シアンインクの６００ｎｍ〜７００ｎｍにおける吸収面積と同等以上である、前記インクセットを好ましく提供するものである。
【０００９】
また、本発明は、前記イエローインクは４００ｎｍ〜５００ｎｍに吸収面積が３０abs・nm以上、３５０abs・nm以下である吸収スペクトルを有し、前記マゼンタインクは５００ｎｍ〜６００ｎｍに吸収面積が２０abs・nm以上、２００abs・nm以下である吸収スペクトルを有し、前記シアンインクが６００ｎｍ〜７００ｎｍに吸収面積が５０abs・nm以上、４００abs・nm以下である吸収スペクトルを有し、
前記インク（Ａ）は、その４００ｎｍ〜５００ｎｍにおける吸収面積が、当該インク（Ａ）の５００ｎｍ〜６００ｎｍにおける吸収面積の０．５倍以上、２．０倍以下であり、
前記インク（Ｂ）は、その５００ｎｍ〜６００ｎｍにおける吸収面積が、当該インク（Ｂ）の６００ｎｍ〜７００ｎｍにおける吸収面積の０．５倍以上、５．０倍以下である、前記インクセットを好ましく提供するものである。
【００１０】
また、本発明は、前記インクセットを用いて、記録媒体に文字及び／又は画像を形成するインクジェット記録方法を提供することにより前記目的を達成したものである。
【００１１】
また、本発明は、前記インクセットを用いて、記録媒体に文字及び／又は画像を形成するインクジェット記録方法であって、前記インクと前記反応液とが前記記録媒体上で接触するようにそれぞれの液滴を吐出させ、且つ複数色の前記インクの液滴それぞれを前記記録媒体上で混合して、該記録媒体上に１色又は２色以上の混色部分を形成する場合、前記インク（Ａ）及び前記インク（Ｂ）以外のインクの少なくとも１種と、該インク（Ａ）及び／又は該インク（Ｂ）とを用いるインクジェット記録方法を提供することにより前記目的を達成したものである。
【００１２】
また、本発明は、前記インクジェット記録方法により文字及び／又は画像を形成された印刷物を提供するものである。
【００１３】
【発明の実施の形態】
以下、先ず、本発明のインクセットについて、その好ましい実施形態に基づき説明する。
本実施形態のインクセットは、イエロー、マゼンタ及びシアンの３色のインクと、インク（Ａ）及びインク（Ｂ）の２色の特色インクと、反応剤を含有する反応液とからなる。
【００１４】
前記特色インクの一つであるインク（Ａ）は、記録媒体上でのＣＩＥＬＡＢ色空間において定義される色相角∠Ｈ゜が約０〜約８０゜の範囲であるインクである。色相角∠Ｈ゜は、∠Ｈ゜＝ｔａｎ-1（ｂ*／ａ*）＋１８０（ａ*＜０の場合）、又は∠Ｈ゜＝ｔａｎ-1（ｂ*／ａ*）＋３６０（ａ*＞０の場合）により求められる。ａ*及びｂ*は、ＣＩＥＬＡＢ色空間において定義される知覚色度指数を表す。
【００１５】
前記インク（Ａ）は、前記イエローインクのＩY重量と前記マゼンタインクのＪ1M重量とを記録媒体上で混合して得られる色相角∠Ｈ゜(Y+M)の彩度Ｃ*(Y+M)を、（ＩY+Ｊ1M）重量未満の使用量で得られるインクであることが好ましい。彩度Ｃ*は、Ｃ*＝｛（ａ*）2+(ｂ*)2｝1/2により求められる。
【００１６】
また、前記インク（Ａ）は、その彩度Ｃ*Aが、前記イエローインクの彩度Ｃ*Y及び／又は前記マゼンタインクの彩度Ｃ*Mよりも高い（Ｃ*A＞Ｃ*Y及び／又はＣ*A＞Ｃ*M）ことが好ましい。前記インク（Ａ）の記録媒体上での彩度Ｃ*Aとしては、８０以上が好ましく、９０以上が更に好ましい。
【００１７】
また、前記インク（Ａ）の記録媒体上での色相範囲は、ａ*＝約６０〜約８０、ｂ*＝約２０〜約８０の範囲、又はａ*＝約３０〜約６０、ｂ*＝約６０〜約１００の範囲であることが好ましい。
【００１８】
前記特色インクの他の一つであるインク（Ｂ）は、記録媒体上でのＣＩＥＬＡＢ色空間において定義される色相角∠Ｈ゜が、約２６０〜約３３０゜の範囲であるインクである。
【００１９】
前記インク（Ｂ）は、前記マゼンタインクのＪ2M重量と前記シアンインクのＫc重量とを記録媒体上で混合して得られる色相角∠Ｈ゜(M+C)の彩度Ｃ*(M+C)を、（Ｊ2M+ＫC）重量未満の使用量で得られるインクであることが好ましい。
【００２０】
また、前記インク（Ｂ）は、その彩度Ｃ*Bが、前記マゼンタインクの彩度Ｃ*M及び／又は前記シアンインクの彩度Ｃ*Cよりも高い（Ｃ*B＞Ｃ*M及び／又はＣ*B＞Ｃ*C）ことが好ましい。前記インク（Ｂ）の彩度Ｃ*Bとしては、好ましくは８０以上、更に好ましくは９０以上である。
【００２１】
また、前記インク（Ｂ）の記録媒体上での色相範囲は、ａ*＝約５０〜約７０、ｂ*＝約−７０〜約−５０の範囲、又はａ*＝約４０〜約６０、ｂ*＝約−８０〜約−６０の範囲であることが好ましい。
【００２２】
本実施形態のインクセットに係るイエロー、マゼンタ及びシアンの３色のインクとしては、この種のインクセットにおいて通常用いられている減法混色の３原色のインクを用いることができる。
【００２３】
前記イエローインクの色相角∠Ｈ゜は約８０〜約１１０゜、前記マゼンタインクの色相角∠Ｈ゜は約３３０〜約３６０゜、前記シアンインクの色相角∠Ｈ゜は約２３０〜約２６０゜である。
【００２４】
また、前記イエローインク、前記マゼンタインク、及び前記シアンインクの記録媒体上での光学濃度（ＯＤ値）は、それぞれ１．７以上、１．０以上、２．０以上であることが好ましい。
【００２５】
記録媒体上での明度が４５以上であれば、粒状性の観点からＯＤ値に上限をつける必要はないが、例えば、前記イエローインクの記録媒体上でのＯＤ値が１．７〜２．４であることが好ましく、極めて高い光沢を得るためには１．７〜１．９であることが特に好ましい。
前記マゼンタインクの記録媒体上でのＯＤ値は、１．０〜２．６であることが好ましく、極めて優れた粒状性を得るためには１．２〜２．０であることが特に好ましい。
前記シアンインクの記録媒体上でのＯＤ値は、２．０〜２．７であることが好ましく、極めて優れた粒状性を得るためには２．０〜２．５であることが特に好ましい。
【００２６】
また、前記イエローインク、前記マゼンタインク及び前記シアンインクの記録媒体上での彩度Ｃ*Y、Ｃ*M、Ｃ*Cは、それぞれ、好ましくは７０〜１２０、より好ましくは８０〜１１０、更に好ましくは８０〜９０である。
【００２７】
また、前記イエローインクの記録媒体上での色相範囲は、ａ*＝約−３０〜約２０、ｂ*＝約７０〜約１３０の範囲であることが好ましく、前記マゼンタインクの該色相範囲は、ａ*＝約６０〜約９０、ｂ*＝約−４０〜約−１０の範囲であることが好ましく、前記シアンインクの該色相範囲は、ａ*＝約−５０〜約−２０、ｂ*＝約−７０〜約−４０の範囲であることが好ましい。
【００２８】
前記インク（Ａ）及び前記インク（Ｂ）それぞれの明度は、前記マゼンタインク及び前記シアンインクそれぞれの明度よりも低く、かつ、前記インク（Ａ）及び前記インク（Ｂ）それぞれの彩度は、前記マゼンタインク及び前記シアンインクそれぞれの彩度よりも高いことが好ましい。
このように定義することにより、高明度部分の彩度は、ＣＭＹインクで高めることが可能であり、低明度部分の彩度は、インク（Ａ）及び／又はインク（Ｂ）が加わることで高めることが可能である。
【００２９】
また、前記インク（Ａ）は、その明度が、前記イエローインクの明度及び／又は前記マゼンタインクの明度より低いことが好ましい。前記インク（Ａ）の記録媒体上での明度は、３５以上６５以下が好ましく、４０以上５０以下が更に好ましい。
また、前記インク（Ｂ）は、その明度が、前記マゼンタインクの明度及び／又は前記シアンインクの明度より低いことが好ましい。前記インク（Ｂ）の記録媒体上での明度は、５以上６５以下が好ましく、５以上１５以下が更に好ましい。
【００３０】
前記イエローインクは、４００ｎｍ〜５００ｎｍに吸収面積が３０abs・nm以上、３５０abs・nm以下である吸収スペクトルを有することが好ましい。イエローインクの４００ｎｍ〜５００ｎｍにおける吸収面積は３０abs・nm以上、２５０abs・nm以下であることがより好ましく、３０abs・nm以上、２００abs・nm以下であることがさらに好ましい。
【００３１】
前記マゼンタインクは、５００ｎｍ〜６００ｎｍに吸収面積が２０abs・nm以上、２００abs・nm以下である吸収スペクトルを有することが好ましい。マゼンタインクの５００ｎｍ〜６００ｎｍにおける吸収面積は２０abs・nm以上、１５０abs・nm以下であることがより好ましく、２０abs・nm以上、６０abs・nm以下であることがさらに好ましい。
【００３２】
前記シアンインクは、６００ｎｍ〜７００ｎｍに吸収面積が５０abs・nm以上、４００abs・nm以下である吸収スペクトルを有することが好ましい。シアンインクの６００ｎｍ〜７００ｎｍにおける吸収面積は５０abs・nm以上、３００abs・nm以下であることがより好ましく、５０abs・nm以上、１００abs・nm以下であることがさらに好ましい。
【００３３】
本発明において吸収面積（abs・nm）とは、各波長（nm）における各吸収（abs）を面として合計した値である。例えば、４００ｎｍ〜５００ｎｍにおける吸収スペクトルの吸収が１absであった場合、４００ｎｍ〜５００ｎｍにおける吸収面積は、１[abs]×（５００−４００）[nm]＝１００abs・nmとなる。
【００３４】
前記インク（Ａ）の５００ｎｍ〜６００ｎｍにおける吸収面積は、前記マゼンタインクの５００ｎｍ〜６００ｎｍにおける吸収面積と同等以上であることが好ましい。
前記インク（Ａ）の５００ｎｍ〜６００ｎｍにおける吸収面積は、前記マゼンタインクの５００ｎｍ〜６００ｎｍにおける吸収面積の１．０倍以上、３.５倍以下であることが好ましく、１．５倍以上、３．０倍以下であることがさらに好ましい。
【００３５】
前記インク（Ａ）の４００ｎｍ〜５００ｎｍにおける吸収面積は、当該インク（Ａ）の５００ｎｍ〜６００ｎｍにおける吸収面積の０．５倍以上、２．０倍以下であることが好ましく、０．５倍以上、１．０倍以下であることがさらに好ましい。
前記インク（Ａ）の４００ｎｍ〜５００ｎｍにおける吸収面積は、４０abs・nm以上、２００abs・nm以下であることがより好ましく、４０abs・nm以上、１００abs・nm以下であることがさらに好ましい。
前記インク（Ａ）の５００ｎｍ〜６００ｎｍにおける吸収面積は、２０abs・nm以上、２００abs・nm以下であることがより好ましく、２０abs・nm以上、１５０abs・nm以下であることがさらに好ましい。
【００３６】
前記インク（Ｂ）の５００ｎｍ〜６００ｎｍにおける吸収面積は、前記シアンインクの６００ｎｍ〜７００ｎｍにおける吸収面積と同等以上であることが好ましい。
前記インク（Ｂ）の５００ｎｍ〜６００ｎｍにおける吸収面積は、前記シアンインクの６００ｎｍ〜７００ｎｍにおける吸収面積の１．０倍以上、３．０倍以下であることが好ましく、１．０倍以上、２．０倍以下であることがさらに好ましい。
【００３７】
前記インク（Ｂ）の５００ｎｍ〜６００ｎｍにおける吸収面積は、当該インク（Ｂ）の６００ｎｍ〜７００ｎｍにおける吸収面積の０．５倍以上、５．０倍以下であることが好ましく、３．０倍以上、４．０倍以下であることがさらに好ましい。
前記インク（Ｂ）の５００ｎｍ〜６００ｎｍにおける吸収面積は、５０abs・nm以上、３５０abs・nm以下であることがより好ましく、５０abs・nm以上、２００abs・nm以下であることがさらに好ましい。
前記インク（Ｂ）の６００ｎｍ〜７００ｎｍにおける吸収面積は、２０abs・nm以上、１５０abs・nm以下であることがより好ましく、２０abs・nm以上、１００abs・nm以下であることがさらに好ましい。
【００３８】
前記各インクにおいては、Duty100％のインク重量は１０〜２０mg／inch２  であることが好ましく、１２〜１８mg／inch２  であることがより好ましく、１４〜１６mg／inch２  であることがさらに好ましい。
前記マゼンタインクと前記シアンインクの記録媒体上での顔料固形分濃度が０．２mg／inch２  のときの明度が４５以上であることが好ましい。
【００３９】
本実施形態に係るインクに含有される顔料としては、無機顔料及び有機顔料を使用することができ、それぞれ単独又は複数種混合して用いることができる。前記無機顔料としては、例えば、酸化チタン及び酸化鉄の他、コンタクト法、ファーネス法、サーマル法等の公知の方法によって製造されたカーボンブラックが使用できる。また、前記有機顔料としては、例えば、アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料等）、染料キレート（例えば、塩基性染料型キレート、酸性染料型キレート等）、ニトロ顔料、ニトロソ顔料、アニリンブラック等が使用できる。具体的には下記顔料が挙げられる。
【００４０】
前記インク（Ａ）に含有される顔料としては、Ｃ．Ｉ．ピグメントオレンジ５，４３及び６２並びにＣ．Ｉ．ピグメントレッド１７，４９：２，１１２，１４９，１７７，１７８，１８８，２５５及び２６４からなる群から選ばれる１種又は２種以上を用いることが好ましい。
これらのうち、特にＣ．Ｉ．ピグメントオレンジ４３及びＣ．Ｉ．ピグメントレッド１４９，１７７，１７８及び２６４からなる群から選ばれる１種又は２種以上を用いることが好ましい。この場合には、インク（Ａ）は、「インク（Ａ）単色で形成できる色」と、「イエローインクとマゼンタインクの２色だけを混合して形成される色相角と彩度が同じ色」の明度が近い程、粒状性と光沢とを向上させることができる。
【００４１】
前記インク（Ｂ）に含有される顔料としては、Ｃ．Ｉ．ピグメントブルー６０並びにＣ．Ｉ．ピグメントバイオレット３，１９，２３，３２，３６及び３８からなる群から選ばれる１種又は２種以上を用いることが好ましい。
これらのうち、特にＣ．Ｉ．ピグメントブルー６０及びＣ．Ｉ．ピグメントバイオレット１９，２３からなる群から選ばれる１種又は２種以上を用いることが好ましい。この場合には、インク（Ｂ）は、「インク（Ｂ）単色で形成できる色」と、「シアンインクとマゼンタインクの２色だけを混合して形成される色相角と彩度が同じ色」の明度が近い程、粒状性と光沢とを向上させることができる。
【００４２】
前記イエローインクに含有される顔料としては、例えば、Ｃ．Ｉ．ピグメントイエロー１，２，３，１２，１３，１４，１６，１７，７３，７４，７５，８３，９３，９５，９７，９８，１０９，１１０，１１４，１２８，１２９，１３８，１３９，１４７，１５０，１５１，１５４，１５５，１８０，１８５等が挙げられ、これらの１種又は２種以上が用いられる。これらのうち、特にＣ．Ｉ．ピグメントイエロー７４，１１０，１２８及び１４７からなる群から選ばれる１種又は２種以上を用いることが好ましい。
【００４３】
前記マゼンタインクに含有される顔料としては、例えば、Ｃ．Ｉ．ピグメントレッド５，７，１２，４８（Ｃａ）,４８（Ｍｎ），５７（Ｃａ）,５７：１，１１２，１２２，１２３，１６８，１８４，２０２，２０９；Ｃ．Ｉ．ピグメントバイオレット１９等が挙げられ、これらの１種又は２種以上が用いられる。これらのうち、特にＣ．Ｉ．ピグメントレッド１２２，２０２，２０９及びＣ．Ｉ．ピグメントバイオレット１９からなる群から選ばれる１種又は２種以上を用いることが好ましい。
【００４４】
前記シアンインクに含有される顔料としては、例えば、Ｃ．Ｉ．ピグメントブルー１，２，３，１５：３，１５：４，１５：３４，１６，２２，６０；Ｃ．Ｉ．バットブルー４，６０等が挙げられ、これらの１種又は２種以上が用いられる。これらのうち、特にＣ．Ｉ．ピグメントブルー１５：３及び／又は１５：４を用いることが好ましく、とりわけ、Ｃ．Ｉ．ピグメントブルー１５：３を用いることが好ましい。
【００４５】
前記インク（Ａ）及び（Ｂ）それぞれにおける前記各顔料の含有量（固形分換算、以下同じ）は、印字濃度とインクジェット記録用インクとしての信頼性とのバランスの観点から、それぞれ、インク全重量に対して、好ましくは２〜６重量％、更に好ましくは２〜４重量％である。
【００４６】
また、前記イエロー、マゼンタ及びシアンの３色のインクにおける前記各顔料の含有量は、光沢度と彩度の観点から、それぞれ、インク全重量に対して、好ましくは０．１〜２重量％、更に好ましくは１．５〜２重量％である。
【００４７】
また、本発明において、別の好ましい実施形態としては、インク吸収層を有するインクジェット専用記録媒体上でのドット視認性（粒状性）向上の観点から、前記マゼンタインクとシアンインクそれぞれの顔料の含有量が２重量％以下、特に０．１〜２重量％、とりわけ１．５〜２重量％であり、かつ、前記インク（Ａ）とインク（Ｂ）とイエローインクそれぞれの顔料の含有量が２重量％以上、特に２〜６重量％、とりわけ２〜４重量％である。
【００４８】
また、本発明において、更に別の好ましい実施形態としては、普通紙上での色再現範囲の拡大及び発色性の観点から、前記イエローインク、マゼンタインク、シアンインク、インク（Ａ）及びインク（Ｂ）それぞれの顔料の含有量が２重量％以上である。
【００４９】
本実施形態のインクセットは、イエロー、マゼンタ及びシアンの３色の前記インクと２色の前記特色インクとを備えるものであるが、必要に応じてブラックインクを更に追加することもできる。ブラックインクに含有される顔料としては、例えば、ファーネスブラック、ランプブラック、アセチレンブラック、チャネルブラック等のカーボンブラック（Ｃ．Ｉ．ピグメントブラック７）類、酸化鉄顔料等の無機顔料；アニリンブラック（Ｃ．Ｉ．ピグメントブラック１）等の有機顔料等が挙げられる。特にカーボンブラックを用いることが好ましく、好ましいカーボンブラックの例として、三菱化学製のNo.2300, No.900, MCF88, No.33, No.40, No.52, MA7, MA8, MA100, No.2200B等、コロンビア社製の Raven5750, Raven5250, Raven5000, Raven3500, Raven1255, Raven700等、キャボット社製の Regal 400R, Regal 400R, Regal 1660R, Mogul 1, Monarch 700, Monarch 800, Monarch 880, Monarch 900, Monarch 1000, Monarch 1100, Monarch 1300, Monarch 1400 等、テグッサ社製の Color Black FW1, Color Black FW2, Color Black FW2V, Color Black FW18, Color Black FW200, Color Black S150, Color Black S160, Color Black S170, Printex 35, Printex U, Printex V, Printex 140U, Special Black 6, Special Black 5, Special Black 4A, Special Black 4等が挙げられる。
また、前記ブラックインク中における前記顔料の含有量は、好ましくは０．１〜４重量％、更に好ましくは１〜３重量％である。
【００５０】
本実施形態に係るインクには、顔料の分散安定性を高める観点から、分散剤を含有させることが好ましい。分散剤としては、この種の顔料インクにおけるものと同様のものを特に制限なく用いることができ、例えば、カチオン性分散剤、アニオン性分散剤、ノニオン性分散剤や界面活性剤等が挙げられる。アニオン性分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等が挙げられる。また、アニオン性界面活性剤の例としては、ドデシルベンゼンスルホン酸ナトリウム、ラウリル酸ナトリウム、ポリオキシエチレンアルキルエーテルサルフェートのアンモニウム塩等が挙げられ、ノニオン性界面活性剤の例としては、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等が挙げられ、これらの１種又は２種以上が用いられる。特に、スチレン−（メタ）アクリル酸共重合体を用いることが好ましい。
前記分散剤は、前記インク中において、前記顔料に対して、固形分換算で好ましくは０．１〜１０重量％、更に好ましくは０．３〜６重量％含有される。
【００５１】
また、本実施形態に係るインクには、インクの乾燥を防いでインクジェットプリンタのヘッドでの目詰まりを防止する観点から、高沸点有機溶媒を含有させることができる。高沸点有機溶媒としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等の多価アルコールのアルキルエーテル類；尿素、２−ピロリドン、Ｎ−メチル−２−ピロリドン、１，３−ジメチル−２−イミダゾリジノン、トリエタノールアミン、糖アルコール等の糖類等が挙げられ、これらの１種又は２種以上が用いられる。
前記高沸点有機溶媒は、前記インク中、好ましくは０．１〜３０重量％、更に好ましくは０．５〜２０重量％含有される。
【００５２】
また、本実施形態に係るインクには、インクの乾燥時間を短縮する観点から、低沸点有機溶媒を含有させることができる。低沸点有機溶媒としては、例えば、メタノール、エタノール、ｎ−プロピルアルコール、ｉｓｏ−プロプルアルコール、ｎ−ブタノール、ｓｅｃ−ブタノール、ｔｅｒｔ−ブタノール、ｉｓｏ−ブタノール、ｎ−ペンタノール等が挙げられ、これらの１種又は２種以上が用いられる。特に、一価アルコールが好ましい。
【００５３】
また、本実施形態に係るインクには、記録媒体への濡れ性を高めて浸透性を高める観点から、浸透促進剤を含有させることができる。浸透促進剤としては、例えば、アニオン性界面活性剤、カチオン性界面活性剤、両性界面活性剤等の各種界面活性剤；メタノール、エタノール、ｉｓｏ−プロピルアルコール等のアルコール類；エチレングリコールモノメチルエーテル、ジエチレングリコールモノエチルエーテル、ジエチレングリコールモノブチルエーテル、トリエチレングリコールモノブチルエーテル、プロピレングリコールモノブチルエーテル、ジプロピレングリコールモノブチルエーテル等の多価アルコールの低級アルキルエーテル；１，２−ペンタンジオール、１，２−ヘキサンジオール等のジオール等が挙げられ、これらの１種又は２種以上が用いられる。特に、ジエチレングリコールモノブチルエーテル、トリエチレングリコールモノブチルエーテル又は１，２−ヘキサンジオールを用いることが好ましい。
前記浸透促進剤は、前記インク中、好ましくは１〜２０重量％、更に好ましくは１〜１０重量％含有される。
【００５４】
前記浸透促進剤として、下記一般式（Ｉ）で表されるアセチレングリコ−ル系化合物やポリシロキサン系化合物を用いることもできる。該アセチレングリコ−ル系化合物としては、市販されているものを用いることができ、例えば、オルフィンＹ、サーフィノール８２，４４０，４６５，４８５，ＳＴＧ，Ｅ１０１０（何れも商品名、エア・プロダクツ・アンド・ケミカルズ社製）等が挙げられ、これらの１種又は２種以上が用いられる。特にサーフィノール４６５を用いることが好ましい。また、該ポリシロキサン系化合物としては、市販品としてＢＹＫ３４８（ビックケミージャパン製）等を用いることができる。該アセチレングリコール系化合物及び／又は該ポリシロキサン系化合物は、前記インク中、好ましくは０．１〜５重量％、更に好ましくは０．５〜２重量％含有される。
【００５５】
【化１】
0004448649.tif 000002
【００５６】
本実施形態に係るインクには、前記顔料の他、必要に応じて、分散剤、高沸点有機溶媒、低沸点有機溶媒、浸透促進剤を含有させ、バランスとして水を含有させる。水は、イオン交換水、限外濾過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。
【００５７】
本実施形態に係るインクには、更に必要に応じて、水溶性ロジン類等の定着剤、安息香酸ナトリウム等の防黴剤・防腐剤、アロハネート類等の酸化防止剤・紫外線吸収剤、キレート剤、酸素吸収剤、ｐＨ調整剤等の添加剤を含有させることができ、これらの１種又は２種以上が用いられる。
【００５８】
本実施形態に係るインクは、従来公知の装置、例えば、ボールミル、サンドミル、アトライター、バスケットミル、ロールミル等を使用して、従来の顔料インクと同様に調製することができる。調製に際しては、メンブレンフィルターやメッシュフィルター等を用いて粗大粒子を除去することが好ましい。
【００５９】
本実施形態に係る反応液は、水と、前記インク中における前記顔料の分散及び／又は溶解状態を破壊し、凝集させ得る反応剤とを含有する。水としては、前述したインクにおけるものと同様のものが用いられる。また、反応剤としては、多価金属塩、ポリアリルアミン及びその誘導体、ポリアクリルアミド及びその誘導体、ポリエチレンイミンからなる群から選ばれる１種又は２種以上が用いられる。
【００６０】
前記多価金属塩（反応剤）としては、２価以上の多価金属イオンと、該多価金属イオンに結合する陰イオンとから構成され、水に可溶なものを用いることが好ましい。
２価以上の多価金属イオンとしては、例えば、Ｃａ2+、Ｃｕ2+、Ｎｉ2+、Ｍｇ2+、Ｚｎ2+、Ｂａ2+等の２価金属イオン；Ａｌ3+、Ｆｅ3+、Ｃｒ3+等の３価金属イオンが挙げられる。特に、２価以上の多価金属イオンが、Ｃａ2+又はＭｇ2+である多価金属塩は、反応液のｐＨ及び得られる印刷物の品質という２つの観点から、好適な結果を与える。
また、陰イオンとしては、Ｃｌ-、ＮＯ3-、Ｉ-、Ｂｒ-、ＣｌＯ3-、ＣＨ3ＣＯＯ-等が挙げられる。特に、硝酸イオン（ＮＯ3-）又はカルボン酸イオン（ＣＨ3ＣＯＯ-）であることが好ましい。
【００６１】
前記カルボン酸イオンとしては、炭素数１〜６の飽和脂肪族モノカルボン酸及び炭素数６〜１０の炭素環式モノカルボン酸からなる群から選ばれる１種又は２種以上のカルボン酸から誘導されるものが好ましい。
炭素数１〜６の飽和脂肪族モノカルボン酸の好ましい例としては、蟻酸、酢酸、プロピオン酸、酪酸、イソ酪酸、吉草酸、イソ吉草酸、ビバル酸、ヘキサン酸等が挙げられる。特に蟻酸、酢酸が好ましい。該炭素数１〜６の飽和脂肪族モノカルボン酸の飽和脂肪族炭化水素基上の水素原子は水酸基で置換されていてもよく、そのようなカルボン酸の好ましい例としては、乳酸が挙げられる。
また、炭素数６〜１０の炭素環式モノカルボン酸の好ましい例としては、安息香酸、ナフトエ酸等が挙げられ、より好ましくは安息香酸である。
【００６２】
前記多価金属塩の含有量は、印字品質、目詰まり防止の効果が得られる範囲で適宜決定されてよいが、前記反応液中、好ましくは０．１〜４０重量％程度であり、より好ましくは５〜２５重量％程度である。
【００６３】
また、前記ポリアリルアミン及びその誘導体（反応剤）は、何れも水に可溶で、水中でプラスに荷電するカチオン系高分子である。該ポリアリルアミン及びその誘導体としては、例えば、下記一般式（ａ）〜（ｃ）で表されるポリマー；アリルアミンとジアリルアミンとが共重合したポリマー；ジアリルメチルアンモニムクロライドと二酸化硫黄との共重合体等が挙げられる。
【００６４】
【化２】
0004448649.tif 000003
【００６５】
前記ポリアリルアミン及びその誘導体の含有量は、前記反応液中、０．５〜１０重量％であることが好ましい。
【００６６】
また、前記ポリアクリルアミド及びその誘導体（反応剤）としては、ノニオン系、アニオン系、カチオン系、カチオン・エステル系等の何れのものでも使用可能である。具体的には、下記一般式（ｄ）で表されるポリアクリルアミド（ノニオン）、下記一般式（ｅ）で表されるポリアクリルアミド（アニオン）、下記一般式（ｆ）で表されるポリアクリル酸ソーダ（アニオン）、下記一般式（ｇ）で表されるポリアクリルアミド（カチオン・エステル）、その他ポリアクリル酸エステル系、ポリメタクリル酸系等のポリマーが挙げられる。
〔−ＣＨ２ＣＨ（ＣＯＮＨ２）−〕ｎ  （ｄ）
〔−ＣＨ２ＣＨ（ＣＯＮＨ２）−〕ｎ  ・〔−ＣＨ２ＣＨ（ＣＯＯＮａ）−〕ｍ  （ｅ）
〔−ＣＨ２ＣＨ（ＣＯＯＮａ）−〕ｎ  （ｆ）
〔−ＣＨ２ＣＨ（ＣＯＮＨ２）−〕ｎ  ・〔−ＣＨ２ＣＨ（ＣＯＯＣＨ２ＣＨ２
Ｎ（ＣＨ３）２）−〕ｍ  （ｇ）
本発明においては反応液中の前記ポリアクリルアミド及びその誘導体の含有量は、前記反応液中に０．０５〜５重量％程度である事が好ましい。
【００６７】
また、前記ポリエチレンイミン（反応剤）としては、合成品や市販品を用いる事ができ、特に反応性の面から、分岐型のものを使用する事が好ましい。例えば、Ａｌｄｒｉｃｈ社製の分岐型のもの（市販品）等が挙げられる。
ポリエチレンイミンの平均分子量（Ｍｎ：数平均分子量）は、好ましくは１００００以下、更に好ましくは５００〜２０００である。
本発明において反応液中の前記ポリエチレンイミンの含有量は、好ましくは０．１〜１０重量％であり、更に好ましくは０．３〜５重量％である。
【００６８】
本実施形態に係る反応液には、反応液の乾燥を防いでインクジェットプリンタのヘッドの目詰まりを防止する観点から、湿潤剤として高沸点有機溶媒を含有させることが好ましい。該高沸点有機溶媒としては、前述したインクに用いられるものと同様のものを用いることができる。該高沸点有機溶媒の含有量は特に限定されないが、好ましくは０．５〜４０重量％程度であり、より好ましくは２〜２０重量％程度である。
【００６９】
本実施形態に係る反応液には、必要に応じて、低沸点有機溶媒及び／又は浸透促進剤を含有させることもできる。該低沸点有機溶媒及び該浸透促進剤としては、前述したインクに用いられるものと同様のものを用いることができる。また、保存安定性を向上させるために、更に必要に応じて、本実施形態に係る反応液に、ｐＨ調整剤、防黴剤・防腐剤等を含有させても良い。
【００７０】
本実施形態のインクセットは、ノズルからインクの液滴を吐出させ、該液滴を記録媒体に付着させて文字及び／又は画像を形成する記録方法であるインクジェット記録方法に用いられることが好ましく、特にオンデマンド型のインクジェット記録方法に用いられることが好ましい。オンデマンド型のインクジェット記録方法としては、例えば、プリンターヘッドに配設された圧電素子を用いて記録を行う圧電素子記録方法、プリンターヘッドに配設された発熱抵抗素子のヒーター等による熱エネルギーを用いて記録を行う熱ジェット記録方法等が挙げられ、何れのインクジェット記録方法にも好適に使用できる。
【００７１】
本実施形態のインクセットは、従来の二液（インクと反応液）を用いたインクジェット記録用のインクセットにはない、前記インク（Ａ）及び前記インク（Ｂ）の２色の特色インクを備えているので、色再現範囲が広い。そのため、従来のこの種のインクセットでは、２色以上のインクを用いなければ作れなかった混色部分を、本実施形態のインクセットによれば、前記特色インクのみ、あるいは従来のインクの２種以上を用いて混色部分を形成する場合よりも少量のインク打ち込み量で該混色部分を形成でき、前記特色インクと他のインクとの混色（後述する）により形成できる。従って、本実施形態のインクセットは、従来の二液を用いたインクジェット記録用のインクセットの欠点であった、多量の水性液を記録媒体（特に普通紙）に打ち込むことに起因する紙シワ等の記録媒体の変形や、紙の裏面への着色等の不都合を生じることなく、色濃度が高く、滲みやムラの少ない高品位の印刷物を提供することができる。
【００７２】
次に、本発明のインクジェット記録方法について、その好ましい実施形態である前記インクセットを用いた実施形態に基づいて説明する。
本実施形態のインクジェット記録方法は、イエロー、マゼンタ、シアン及びブラックの４色の前記インクと、前記反応液とからなる前記インクセットを用いて記録媒体に文字及び／又は画像を形成するインクジェット記録方法であって、前記インクと前記反応液とが該記録媒体上で接触するようにそれぞれの液滴を吐出させ、且つ複数色の該インクの液滴それぞれを該記録媒体上で混合して、該記録媒体上に１色又は２色以上の混色部分を形成する場合、前記インク（Ａ）及び前記インク（Ｂ）以外のインクの少なくとも１種と、該インク（Ａ）及び／又は該インク（Ｂ）とを用いるインクジェット記録方法である。
【００７３】
即ち、本実施形態のインクジェット記録方法は、いわゆる二液（インクと反応液）を用いたインクジェット記録方法において、混色部分を形成する場合、前記インク（Ａ）及び／又は前記インク（Ｂ）を用いることを特徴とするものであり、記録媒体に単色でインクを打ち込む場合は、通常のインクジェット記録方法と同様である。
【００７４】
図１は、本実施形態のインクジェット記録方法を実施するためのインクジェット記録装置の要部の斜視図である。このインクジェット記録装置は、前記インク及び前記反応液をインクタンクに収納し、該インク及び該反応液がインクチューブを介して記録ヘッドに供給される態様である。即ち、記録ヘッド１とインクタンク２とがインクチューブ３で連通される。インクタンク２は内部が区切られており、４色の前記インクの部屋と、前記反応液の部屋とが設けられてなる。
【００７５】
記録ヘッド１は、キャリッジ４に沿って、モータ５で駆動されるタイミングベルト６によって移動する。一方、記録媒体７はプラテン８及びガイド９によって記録ヘッド１と対面する位置に置かれる。尚、この態様においては、キャップ１０が設けられてなる。このキャップ１０には吸引ポンプ１１が連結され、いわゆるクリーニング操作を行う。吸引されたインクはチューブ１２を介して廃インクタンク１３に溜め置かれる。
【００７６】
記録ヘッド１のノズル面の拡大図を図２に示す。１ｂで示される部分が前記反応液のノズル面であって、該反応液が吐出されるノズル２１が縦方向に設けられてなる。一方、１ｃで示される部分が前記インクのノズル面であって、ノズル２２，２３，２４，２５からは、それぞれ、前記イエローインク、前記マゼンタインク、前記シアンインク、前記ブラックインクが吐出される。
【００７７】
このような構成のインクジェット記録装置を常法通り操作することにより、記録ヘッド１は、キャリッジ４に走査されながら、前記インクと前記反応液とが記録媒体７上で接触するように、それぞれの液滴を吐出する。前記反応液の記録媒体への付着は、インクを付着させる場所にのみ選択的に前記反応液を付着させる態様でもよく、また、被記録面全体に前記反応液を付着させる態様でもよい。前者の態様は、反応液の消費量を必要最小限に抑えることができ経済的であるが、反応液とインク双方を付着させる位置にある程度の精度が要求される。一方、後者の態様は、前者の態様に比べ、反応液及びインクの付着位置の精度の要求が緩和される。
【００７８】
前記インクジェット記録装置によるインクジェット記録を、図３に基づき説明する。先ず、記録ヘッド１が、記録媒体７の左端から右端に向かって矢印Ａ方向に沿って移動する間に、そのノズル面１ｂより前記反応液が吐出されて、記録媒体７上に帯状の反応液付着領域３１が形成される。記録ヘッド１が、記録媒体７の右端に達すると、記録媒体７が、紙送り方向（矢印Ｂ）に所定量移送されると共に、記録ヘッド１が、矢印Ａ方向と逆方向に移動して、記録媒体７の左端の位置に戻る。そして、再び記録ヘッド１が、該左端から該右端に向かって矢印Ａ方向に沿って移動する間に、ノズル面１ｃより反応液付着領域３１に対して前記インクが吐出され、印字領域３２が形成される。
【００７９】
この印字領域３２の形成時において、単色でインクを打ち込む場合は、通常のインクジェット記録方法と同様に各色インクの液滴が吐出されるが、混色部分を形成する場合は、前記インク（Ａ）及び前記インク（Ｂ）以外のインクの少なくとも１種と、該インク（Ａ）及び／又は該インク（Ｂ）とを用い、これらのインクの液滴それぞれを反応液付着領域３１上で混合して所望の混色部分を形成する。
【００８０】
具体的には、前記知覚色度指数ａ*及びｂ*が、それぞれ、ａ*＝約−４０〜約９０、ｂ*＝約−４０〜約１００の範囲にある混色部分、即ち、イエロー色とマゼンタ色との間の色相群の１色（例えばオレンジ色や赤色）の混色部分を形成する場合、少なくとも、イエロー及びマゼンタの２色の前記インクと、前記インク（Ａ）とを用いる。この場合、該インク（Ａ）の単位面積当たりのインク打ち込み量は、該混色部分の形成に用いられるインクの総打ち込み量に対して、好ましくは１０〜９０重量％、更に好ましくは３０〜５０重量％である。
【００８１】
また、前記知覚色度指数ａ*及びｂ*が、それぞれ、ａ*＝約−５０〜約１００、ｂ*＝約−１０〜約−８０の範囲にある混色部分、即ち、マゼンタ色とシアン色との間の色相群の１色（例えばバイオレット色や青色）の混色部分を形成する場合、少なくとも、マゼンタ及びシアンの２色の前記インクと、前記インク（Ｂ）とを用いる。この場合、該インク（Ｂ）の単位面積当たりのインク打ち込み量は、該混色部分の形成に用いられるインクの総打ち込み量に対して、好ましくは１０〜９０重量％、更に好ましくは３０〜５０重量％である。
【００８２】
このようにして、反応液付着領域３１上に重ねて前記インクが吐出されて、印字領域３２が形成されていき、記録ヘッド１が、図３における記録媒体７の右端に達すると、記録媒体７が、紙送り方向（矢印Ｂ）に所定量移送されると共に、記録ヘッド１が、矢印Ａ方向と逆方向に移動して、図３における記録媒体７の左端の位置に戻る。このような記録ヘッド１による一連の動作が繰り返されることにより、記録媒体７に所定の文字及び／又は画像が形成されて印刷物が作成される。
【００８３】
このようにして得られた前記印刷物は、前記反応液と前記インクとが接触して生じる凝集物が記録媒体上に付着しているので、記録媒体として普通紙を用いても、色濃度が高く、また、異なる色の境界領域での不均一な色混じり、いわゆるカラーブリード等の滲みやムラの少ない高品位の印刷物である。
【００８４】
本実施形態のインクジェット記録方法は、この種の記録方法において通常用いられる記録媒体は特に制限無く適用できるが、特に、紙シワ等の多量の水性液を打ち込むことに起因する問題を起こし易い普通紙（被記録面に繊維が露呈している記録媒体）に対して有効である。即ち、本実施形態のインクジェット記録方法によれば、前記インク（Ａ）及び前記インク（Ｂ）の２色の特色インクを備えた色再現範囲の広いインクセットを用い、混色部分の形成時には該特色インクを用いることにより、従来の二液（インクと反応液）を用いたインクジェット記録方法に比して少量のインク打ち込み量で、高発色の文字及び／又は画像を形成できるので、記録媒体として普通紙を用いても、該普通紙の変形や、裏面への着色を抑制することができ、高品位の前記印刷物を提供することができる。
【００８５】
本実施形態のインクジェット記録方法の実施に適したインクジェット記録装置は、前記した構成のものに制限されない。
例えば、本実施形態のインクジェット記録方法は、インクジェット記録装置における記録ヘッド１のノズル面が、図４に示すように、ノズルを全て横方向に並べた構成のものでも実施できる。図４中、４１ａ及び４１ｂは反応液の吐出ノズルであり、ノズル４２，４３，４４，４５からは、それぞれ、前記イエローインク、前記マゼンタインク、前記シアンインク、前記ブラックインクが吐出される。このような態様の記録ヘッドにおいては、キャリッジ上を往復する往路、復路の何れにおいても印字が可能である点で、図２に示した記録ヘッドを用いた場合よりも早い速度での印字が期待できる。また、図４に示す記録ヘッド１において、反応液及びインクそれぞれの表面張力を適宜調節すれば、反応液の吐出ノズルを１つにすることもでき（例えば、図４において、４１ｂのノズルを省く）、更なるヘッドの小型化と印字の高速化が達成できる。
【００８６】
また、本実施形態のインクジェット記録方法は、前述したようなインクタンクと記録ヘッドとが分離している構成のインクジェット記録装置のみならす、図５に示すような、インクタンクと記録ヘッドとが一体化された構成のインクジェット記録装置でも実施できる。図５中、図１の装置と同一の部材については同一の符号を付した。図５の態様において、記録ヘッド１ａ及び１ｂは、それぞれ、インクタンク２ａ及び２ｂと一体化されており、記録ヘッド１ａからインクが吐出され、記録ヘッド１ｂから反応液が吐出される。印字方法は基本的に図１の装置と同様であってよい。そして、この態様において、記録ヘッド１ａとインクタンク２ａ及び記録ヘッド１ｂ及びインクタンク２ｂは、キャリッジ４上を共に移動する。
【００８７】
本発明は、前記実施形態に制限されず、その趣旨を逸脱しない範囲内で種々の変更が可能である。
本発明のインクセットは、前記反応液と、記録媒体上でのＣＩＥＬＡＢ色空間において定義される色相角∠Ｈ゜がそれぞれ前記特定範囲にあるイエロー、マゼンタ及びシアンの３色の前記インクと、前記インク（Ａ）及び前記インク（Ｂ）の２色の特色インクとを備えるインクセットであればよく、これらのインク以外に、例えば、上述のブラックインクは勿論のこと、本発明に係る前記イエローインク、前記マゼンタインク及び前記シアンインク以外のイエローインク、マゼンタインク、シアンインクの１種又は２種以上を備えていてもよい。
また、前記実施形態においては、顔料インクセットを例にとり本発明のインクセットを説明したが、色材を顔料に限定するものではない。
【００８８】
また、本発明のインクジェット記録方法は、複数色の前記インクの液滴それぞれを記録媒体上で混合して、該記録媒体上に１色又は２色以上の混色部分を形成する場合、前記インク（Ａ）及び前記インク（Ｂ）以外のインクの少なくとも１種と、該インク（Ａ）及び／又は該インク（Ｂ）とを用いればよく、混色部分を形成する際に用いるインクの組み合わせは、前記実施形態に制限されない。
また、本発明のインクジェット記録方法は、前記実施形態のように、前記反応液の液滴を吐出させた後、前記インクの液滴を吐出させて記録媒体上に文字及び／又は画像を形成する態様のみならず、前記インクの液滴を吐出させて前記記録媒体上に文字及び／又は画像を形成した後、前記反応液の液滴を吐出させる態様でもよい。
また、前記実施形態においては、４色の顔料インクを備えたインクセットを例にとり本発明のインクジェット記録方法を説明したが、このインクセットに限定されるものではなく、インクの種類や用いるインクジェット記録装置等については、本発明の趣旨を逸脱しない範囲内で種々の変更が可能である。
【００８９】
【実施例】
以下に、本発明の実施例及び試験例を挙げて、本発明をより具体的に説明するが、本発明は、斯かる実施例により何等制限されるものではない。
【００９０】
〔実施例１〕
下記組成のブラック、シアン、マゼンタ、イエロー、オレンジ〔インク（Ａ）〕、バイオレット〔インク（Ｂ）〕の６色の顔料インクを、それぞれ下記〈インクの調製〉に従い調製した。また、下記組成の反応液１を調製した。これら６色の顔料インクと反応液１とを組み合わせてインクセット１とした。
〈インクの調製〉
顔料と分散剤と水とを混合して混合物とし、サンドミル（安川製作所製）中で、該混合物の１．５倍量（重量）のガラスビーズ（直径１．７ｍｍ）と共に２時間分散させた後、ガラスビーズを取り除いて、顔料分散液を得た。次いで、下記組成における顔料と分散剤以外の成分（溶剤及び添加剤）を混合・溶解させてインク溶媒を調製し、前記顔料分散液を撹拌しながら、該インク溶媒を該顔料分散液に徐々に滴下して、常温で２０分間撹拌した。その後、これを５μｍのメンブランフィルターで濾過して、インクジェット記録用の顔料インクを得た。
【００９１】
0004448649.tif 000004
【００９２】
0004448649.tif 000005
【００９３】
0004448649.tif 000006
【００９４】
0004448649.tif 000007
【００９５】
0004448649.tif 000008
【００９６】
0004448649.tif 000009
【００９７】
0004448649.tif 000010
【００９８】
〔実施例２〕
前記インクセット１（実施例１）において、前記反応液１に代えて、下記反応液２を組み合わせた以外は、前記インクセット１と同じ構成のインクセット２を得た。
【００９９】
0004448649.tif 000011
【０１００】
〔実施例３〕
前記インクセット１（実施例１）において、前記反応液１に代えて、下記反応液３を組み合わせた以外は、前記インクセット１と同じ構成のインクセット３を得た。
【０１０１】
0004448649.tif 000012
【０１０２】
〔実施例４〕
前記インクセット１（実施例１）において、前記反応液１に代えて、下記反応液４を組み合わせた以外は、前記インクセット１と同じ構成のインクセット４を得た。
【０１０３】
0004448649.tif 000013
【０１０４】
〔実施例５〕
前記インクセット１（実施例１）において、前記反応液１に代えて、下記反応液５を組み合わせた以外は、前記インクセット１と同じ構成のインクセット５を得た。
【０１０５】
0004448649.tif 000014
【０１０６】
〔実施例６〕
前記インクセット１（実施例１）において、前記反応液１に代えて、下記反応液６を組み合わせた以外は、前記インクセット１と同じ構成のインクセット６を得た。
【０１０７】
0004448649.tif 000015
【０１０８】
〔比較例１〕
下記組成のブラック、シアン、マゼンタ、イエローの４色の顔料インクを、それぞれ前記〈インクの調整〉に従い調製した。これら４色の顔料インクと前記反応液１とを組み合わせてインクセット７とした。
【０１０９】
0004448649.tif 000016
【０１１０】
0004448649.tif 000017
【０１１１】
0004448649.tif 000018
【０１１２】
0004448649.tif 000019
【０１１３】
〔比較例２〕
前記インクセット７（比較例１）において、前記反応液１を除いた以外は、前記インクセット７と同じ構成のインクセット８を得た。
【０１１４】
〔試験例〕
（印刷物の作成及びその色彩等の測定）
インクセット１により、図４に示すノズル構成の一体型記録ヘッドを有するインクジェットプリンタ（商品名「ＭＣ−２０００」、セイコーエプソン（株）製）を用いて、ＰＭ写真紙（セイコーエプソン（株）製）に対し、１４４０×７２０ｄｐｉで１００％ｄｕｔｙを印刷し、印刷物を作成した。「ｄｕｔｙ」とは、下記式（Ａ）で定義され、算出される値Ｄの単位を示すものである。１００％ｄｕｔｙとは、画素に対する単色の最大インク重量を意味する。
Ｄ＝{実印字ドット数／（縦解像度×横解像度）}×１００（ｄｕｔｙ）  （Ａ）
【０１１５】
このようにして得られた前記各印刷物の光学濃度（ＯＤ）を、グレタグ社製「ＳＰＭ−５０」を用い、光源Ｄ６５、視野角２度で測定し、各印刷物についてのＣＩＥＬＡＢ色空間において定義されるＬ＊、ａ＊、ｂ＊、並びに色相角∠Ｈ゜［＝ｔａｎ−１（ｂ＊／ａ＊）＋１８０（ａ＊＜０の場合）、∠Ｈ゜＝ｔａｎ−１（ｂ＊／ａ＊）＋３６０（ａ＊＞０の場合）］及び彩度Ｃ＊［＝〔（ａ＊）２＋（ｂ＊）２〕１／２］をそれぞれ求めた。
評価色：１色のインクで形成される１００％ｄｕｔｙの単色と図６に示すサークルの隣接する２色のインクの各５０％ｄｕｔｙで形成される１００％ｄｕｔｙの混色とした。
【０１１６】
（特色インクの有効性）
実施例のインクセットにより作成した前記各印刷物において、ＹＭＣの３原色インクの何れか２色により形成された１００％ｄｕｔｙの混色部分の色相角∠Ｈ゜と彩度Ｃ＊とを測定した。そして、これと同じ色相角∠Ｈ゜及び彩度Ｃ＊を得るために要した特色インクの打ち込み量を測定した。それらの結果を下記表１及び表２に示す。
【０１１７】
【表１】
0004448649.tif 000020
【０１１８】
【表２】
0004448649.tif 000021
【０１１９】
表１及び表２から明らかなように、ＹＭＣの３原色インクの何れか２色を用いて形成される１００％ｄｕｔｙの色相角∠Ｈ゜の彩度Ｃ＊を、本発明に係る特色インクＡ又はＢによれば、３０％ｄｕｔｙ以下で得ることができる。
また、インクセット１におけるイエローインクの記録媒体上での光学濃度（ＯＤ値）は１．７であり、マゼンタインクの記録媒体上での光学濃度（ＯＤ値）は１．５であり、シアンインクの記録媒体上での光学濃度（ＯＤ値）は２．０であった。
【０１２０】
（各インクの吸収面積の測定）
日立自記分光光度計Ｕ３３００形を用いて、スキャンスピード６００nm／min、スリット２．０nm、ホトマル電圧自動制御、サンプリング間隔自動の測定条件で、測定した。
ベースラインは、サンプル側、リファレンス側ともに、縦１cm×横１cm×高さ４cmの４mL容量のセキエイセルに純水を加えて設定し、測定した。
サンプル測定は、リファレンス側のセルをそのままにし、サンプル側のセルに以下のようにして調整したインク希釈液を入れ、測定した。各インク１．００gを１Lビーカーに移し、直ちに純水を加えて、合計１kgにし、希釈液を得た。
その結果を表３示す。
【０１２１】
【表３】
0004448649.tif 000022
【０１２２】
（紙シワ・発色性の試験）
実施例１〜６及び比較例１〜２の各インクセットそれぞれにより、図４に示すノズル構成の一体型記録ヘッドを有するインクジェットプリンタ（商品名「ＭＣ−２０００」、セイコーエプソン（株）製）を用いて、普通紙（商品名「ＸｅｒｏｘＰ」、ゼロックス（株）製）に対し印刷を行った。その際、実施例１〜６（インクセット１〜６）の全てにおいては、レッドを表現する場合は前記オレンジインク〔インク（Ａ）〕を主に使用し、ブルーを表現する場合は前記バイオレットインク〔インク（Ｂ）〕を主に使用した。一方、比較例１（インクセット７）及び比較例２（インクセット８）においては、レッドを表現する場合は、常法通り、前記イエローインクと前記マゼンタインクとを使用し、ブルーを表現する場合は、常法通り、前記シアンインクと前記マゼンタインクとを使用した。得られた各印刷物について、それぞれの記録画像部分の紙シワの程度及び発色性を、それぞれ目視により観察し、下記評価基準により評価した。それらの結果を下記〔表４〕に示す。尚、印刷に際しては、反応液の液滴を吐出させた後にインクの液滴を吐出させる場合、及びインクの液滴を吐出させた後に反応液の液滴を吐出させる場合の何れも行ったが、結果は同じ（〔表４〕）であった。
【０１２３】
（紙シワの程度の評価基準）
○：単色部分のみならず混色部分においても紙シワが発生していない。
△：単色部分では紙シワが発生していないが、混色部分で紙シワが発生している。
×：混色部分のみならず単色部分においても紙シワが発生している。
【０１２４】
（発色性の評価基準）
○： 単色部分及び混色部分共に発色が鮮明である。
△： 単色部分は発色が鮮明であるが、混色部分は発色が鮮明でない。
×： 単色部分及び混色部分共に発色が鮮明でない。
【０１２５】
【表４】
0004448649.tif 000023
【０１２６】
表４に示す結果から明らかなように、実施例１〜６のインクセットは、何れも紙シワの発生が無く、発色性にも優れた印刷物を提供することができる。
比較例１のインクセットは、特色インクを備えていないため、実施例のインクセットに比して混色部分でのインクの打ち込み量が多く、該混色部分で紙シワを生じさせた。また、該混色部分の発色は不鮮明であった。
比較例２のインクセットは、反応液を備えていないので紙シワの発生は観られなかったが、混色部分のみならず単色部分においても発色性が不鮮明であった。
【０１２７】
【発明の効果】
本発明のインクセット及びインクジェット記録方法によれば、記録媒体として普通紙を用いても、紙シワを生じさせることなく、色濃度が高く、滲みやムラの少ない高品位の印刷物を提供することができる。
【図面の簡単な説明】
【図１】本実施形態のインクジェット記録方法を実施するためのインクジェット記録装置の要部の斜視図である。
【図２】図１のインクジェット記録装置における記録ヘッドのノズル面の拡大図である。
【図３】図２の記録ヘッドによるインクジェット記録の説明図である。
【図４】図１のインクジェット記録装置における別の態様の記録ヘッドのノズル面の拡大図である。
【図５】本実施形態のインクジェット記録方法を実施するための別の態様のインクジェット記録装置の要部の斜視図である。
【図６】実施例において、印刷物を作成する際の混色の組み合わせを示す図である。
【符号の説明】
１  記録ヘッド
１ｂ  反応液のノズル面
１ｃ  インクのノズル面
２１，４１ａ，４１ｂ  反応液のノズル
２２〜２５，４２〜４５  インクのノズル
７  記録媒体
３１  反応液付着領域
３２  印字領域
【図１】
0004448649.tif 000024
【図２】
0004448649.tif 000025
【図３】
0004448649.tif 000026
【図４】
0004448649.tif 000027
【図５】
0004448649.tif 000028
【図６】
0004448649.tif 000029